(57)【要約】      （修正有）【課題】髪せん断機能とレーザー脱毛機能を統合した多機能脱毛器具を提供する。【解決手段】筐体１、レーザー脱毛装置、モーター、回路基板、電池、せん断装置２、およびプッシュプル部材５を含む多機能脱毛器具であり、筐体１は開口１１と溝１４を含み、モーターは偏心ホイールを含み、せん断装置２はナイフホルダ、固定刃および可動刃を含み、ナイフホルダが溝１４に移動可能に収容され、固定刃がナイフホルダに固定され、可動刃がナイフホルダに移動可能に収容され偏心ホイールに駆動接続され、モーターが起動すると、可動刃が偏心ホイールによって駆動され固定刃に対して往復摺動し、プッシュプル部材５が溝１４に収容され溝１４に対して摺動可能であり、プッシュプル部材５は本体および本体に固定されたアームを含み、本体を摺動させると、アームがナイフホルダに対して接触または分離し、ナイフホルダが溝１４の外に出るか、または溝１４内に収容される。多機能脱毛器具を使用する場合、まず毛髪をせん断してからレーザー脱毛を行う。【選択図】図１
0003228706.tif 000002
【実用新案登録請求の範囲】
【請求項１】
開口および溝を含む筐体と、
レーザー発光管を含み、前記レーザー発光管が前記開口に配置されるレーザー脱毛装置と、
前記筐体内に取り付けられ、偏心ホイールを含むモーターと、
前記筐体内に取り付けられ、前記レーザー脱毛装置とモーターに電気的に接続される回路基板と、
前記回路基板、レーザー脱毛装置およびモーターに電力を供給するための電池と、
ナイフホルダ、固定刃および可動刃を含み、前記ナイフホルダが前記溝に移動可能に収容され、前記固定刃が前記ナイフホルダに固定され、前記可動刃が前記ナイフホルダに移動可能に収容され前記偏心ホイールに駆動接続され、前記モーターが起動すると、前記可動刃が前記偏心ホイールによって駆動され前記固定刃に対して往復摺動するせん断装置と、
前記溝に収容され前記溝に対して摺動可能であり、本体および前記本体に固定されたアームを含み、前記本体を摺動させると、前記アームが前記ナイフホルダに対して接触または分離し、前記ナイフホルダが前記溝外に出るかまたは前記溝内に収容されるプッシュプル部材と、を含むことを特徴とする多機能脱毛器具。
【請求項２】
前記ナイフホルダが前記溝内に収容されるとき、前記ナイフホルダが前記本体とは互いに平行であり、前記ナイフホルダが前記溝外に出るときに、前記ナイフホルダが前記本体とは平行ではないことを特徴とする請求項１に記載の多機能脱毛器具。
【請求項３】
前方に前記本体を摺動させると、前記アームが前記ナイフホルダの内壁を押圧して前記ナイフホルダを前記溝に対して回転させ、後方に前記本体を摺動させると、前記アームが前記ナイフホルダから離れ前記ナイフホルダが重力作用で前記溝に戻ることを特徴とする請求項２に記載の多機能脱毛器具。
【請求項４】
前記多機能脱毛器具は伝達装置を含み、前記伝達装置は、第１の伝達部材、第２の伝達部材およびダイヤルブロックを含み、前記第１の伝達部材が前記偏心ホイールに駆動接続され、前記可動刃が前記ダイヤルブロックに着脱可能に取り付けられ、前記第２の伝達部材は第１の端部および第２の端部を含み、前記第１の端部が前記第１の伝達部材に移動可能に接続され、前記第２の端部が前記ダイヤルブロックに固定的に接続され、前記アームが前記ナイフホルダを押圧すと、前記第２の伝達部材が前記第１の伝達部材に対して回転運動することを特徴とする請求項１に記載の多機能脱毛器具。
【請求項５】
前記偏心ホイールの駆動下で、前記第１の伝達部材と前記第２の伝達部材の接合点が第１の平面内で往復運動し、前記第２の伝達部材が前記ダイヤルブロックを第２の平面内で往復運動させるように駆動し、前記第１の平面が前記偏心ホイールの出力軸と平行であり、前記第２の平面が前記固定刃と平行であることを特徴とする請求項４に記載の多機能脱毛器具。
【請求項６】
前記ナイフホルダは位置決め柱および固定部材を含み、前記第２の伝達部材は位置決め穴を含み、前記位置決め柱が前記位置決め穴を貫通し、前記固定部材は第２の伝達部材が前記ナイフホルダから外れるのを防止することを特徴とする請求項５に記載の多機能脱毛器具。
【請求項７】
前記第１の伝達部材が前記偏心ホイールによって駆動され往復運動すると、前記第２の伝達部材が前記位置決め柱に対して回転し、ひいては前記ダイヤルブロックが前記可動刃を往復運動させるように駆動することを特徴とする請求項６に記載の多機能脱毛器具。
【請求項８】
前記第１の伝達部材は第１の溝本体、第２の溝本体およびリミッターを含み、前記リミッターが前記第１の溝本体を貫通して前記筐体に固定され、前記偏心ホイールの出力軸が前記第２の溝本体を貫通し、前記第１の溝本体の長手方向が前記第２の溝本体の長手方向とは互いに垂直であることを特徴とする請求項４に記載の多機能脱毛器具。
【請求項９】
前記筐体は第１の導電部材および第２の導電部材を含み、前記第１の導電部材が前記開口に固定され、前記第２の導電部材が前記筐体の手持ち箇所に固定され、前記第１の導電部材が前記レーザー脱毛装置のスイッチ回路の第１の電極に接続され、前記第２の導電部材が前記レーザー脱毛装置のスイッチ回路の第２の電極に接続され、脱毛スイッチがオンにされても、前記第１の電極と第２の電極を接続する外部導体がない場合、前記レーザー脱毛装置のスイッチ回路が遮断状態にあり、前記第１の電極と第２の電極を接続する外部導体がある場合、前記レーザー脱毛装置のスイッチ回路が導通状態にあることを特徴とする請求項１に記載の多機能脱毛器具。
【請求項１０】
前記レーザー脱毛装置は、さらにカラーセンサおよび知能認識モジュールを含み、前記カラーセンサが前記開口に取り付けられ、前記知能認識モジュールが前記カラーセンサによって受光された光に基づいて暗い肌色領域であるかどうかを判定し、暗い肌色領域であると判定すると前記レーザー脱毛装置を切断してやけどをしないようにすることを特徴とする請求項１に記載の多機能脱毛器具。
【考案の詳細な説明】
【技術分野】
【０００１】
本考案は、美容機器の分野に属し、特に多機能脱毛器具に関する。
【背景技術】
【０００２】
レーザー脱毛は現在、最も安全で、最も速く、長持ちする脱毛技術であり、レーザー脱毛は、選択的光熱力学の原理に基づい、レーザー波長のエネルギーパルス幅を適切に調整することにより、レーザーが皮膚表面を通過して毛髪の根元毛包に達した。光エネルギーは吸収され、毛包組織を破壊する熱エネルギーに変換されるため、周囲の組織に損傷を与えることなく、髪は再生能力を失い、痛みはわずかである。現在、市販のレーザー脱毛器具には毛髪自動せん断機能がなく、レーザー脱毛過程中、髪が長すぎることに起因して脱毛過程に髪が焦げることが多く、焦げた髪が肌に付着して痛みを引き起こし、または製品に付着して損傷を与えるため、髪せん断機能とレーザー脱毛機能を１つに統合し、レーザー脱毛の前に髪をせん断してレーザーが毛包の根元に確実に到達し、髪が長すぎることに起因する誤判定による周囲組織の損傷がなく、毛包組織を破壊することができる多機能脱毛器具を提供する必要がある。
【考案の概要】
【考案が解決しようとする課題】
【０００３】
本考案が解決しようとする課題は、髪せん断機能とレーザー脱毛機能を１つに統合して、レーザー脱毛の前に髪をせん断してレーザーが毛包の根元に確実に到達し、髪が長すぎることに起因する誤判定による周囲組織の損傷がなく、毛包組織を破壊することができるとともに、せん断装置の脱毛過程中ユーザの誤損傷を防止することができる多機能脱毛器具を提供することである。
【課題を解決するための手段】
【０００４】
上記の課題を解決するために、本考案は多機能脱毛器具を提供し、前記多機能脱毛器具は、
開口および溝を含む筐体と、
レーザー発光管を含み、前記レーザー発光管が前記開口に配置されるレーザー脱毛装置と、
前記筐体内に取り付けられ、偏心ホイールを含むモーターと、
前記筐体内に取り付けられ、前記レーザー脱毛装置とモーターに電気的に接続される回路基板と、
前記回路基板、レーザー脱毛装置およびモーターに電力を供給するための電池と、
ナイフホルダ、固定刃および可動刃を含み、前記ナイフホルダが前記溝に移動可能に収容され、前記固定刃が前記ナイフホルダに固定され、前記可動刃が前記ナイフホルダに移動可能に収容され前記偏心ホイールに駆動接続され、前記モーターが起動すると、前記可動刃が前記偏心ホイールによって駆動され前記固定刃に対して往復摺動するせん断装置と、
前記溝に収容され前記溝に対して摺動可能であり、本体および前記本体に固定されたアームを含み、前記本体を摺動させると、前記アームが前記ナイフホルダに対して接触または分離し、前記ナイフホルダが前記溝外に出るかまたは前記溝内に収容されるプッシュプル部材と、を含む。
【０００５】
さらに、前記ナイフホルダが前記溝内に収容されるとき、前記ナイフホルダが前記本体とは互いに平行であり、前記ナイフホルダが前記溝外に出るときに、前記ナイフホルダが前記本体とは平行ではない。
【０００６】
さらに、前方に前記本体を摺動させると、前記アームが前記ナイフホルダの内壁を押圧して前記ナイフホルダを前記溝に対して回転させ、後方に前記本体を摺動させると、前記アームが前記ナイフホルダから離れ前記ナイフホルダが重力作用で前記溝に戻る。
【０００７】
さらに、前記多機能脱毛器具は伝達装置を含み、前記伝達装置は、第１の伝達部材、第２の伝達部材およびダイヤルブロックを含み、前記第１の伝達部材が前記偏心ホイールに駆動接続され、前記可動刃が前記ダイヤルブロックに着脱可能に取り付けられ、前記第２の伝達部材は第１の端部および第２の端部を含み、前記第１の端部が前記第１の伝達部材に移動可能に接続され、前記第２の端部が前記ダイヤルブロックに固定的に接続され、前記アームが前記ナイフホルダを押圧すと、前記第２の伝達部材が前記第１の伝達部材に対して回転運動する。
【０００８】
さらに、前記偏心ホイールの駆動下で、前記第１の伝達部材と前記第２の伝達部材の接合点が第１の平面内で往復運動し、前記第２の伝達部材が前記ダイヤルブロックを第２の平面内で往復運動させるように駆動し、前記第１の平面が前記偏心ホイールの出力軸と平行であり、前記第２の平面が前記固定刃と平行である。
【０００９】
さらに、前記ナイフホルダは位置決め柱および固定部材を含み、前記第２の伝達部材は位置決め穴を含み、前記位置決め柱が前記位置決め穴を貫通し、前記固定部材は第２の伝達部材が前記ナイフホルダから外れるのを防止する。
【００１０】
さらに、前記第１の伝達部材が前記偏心ホイールによって駆動され往復運動すると、前記第２の伝達部材が前記位置決め柱に対して回転し、ひいては前記ダイヤルブロックが前記可動刃を往復運動させるように駆動する。
【００１１】
さらに、前記第１の伝達部材は第１の溝本体、第２の溝本体およびリミッターを含み、前記リミッターが前記第１の溝本体を貫通して前記筐体に固定され、前記偏心ホイールの出力軸が前記第２の溝本体を貫通し、前記第１の溝本体の長手方向が前記第２の溝本体の長手方向とは互いに垂直である。
【００１２】
さらに、前記筐体は第１の導電部材および第２の導電部材を含み、前記第１の導電部材が前記開口に固定され、前記第２の導電部材が前記筐体の手持ち箇所に固定され、前記第１の導電部材が前記レーザー脱毛装置のスイッチ回路の第１の電極に接続され、前記第２の導電部材が前記レーザー脱毛装置のスイッチ回路の第２の電極に接続され、前記脱毛スイッチがオンにされても、前記第１の電極と第２の電極を接続する外部導体がない場合、前記レーザー脱毛装置のスイッチ回路が遮断状態にあり、前記第１の電極と第２の電極を接続する外部導体がある場合、前記レーザー脱毛装置のスイッチ回路が導通状態にある。
【００１３】
さらに、前記レーザー脱毛装置は、さらにカラーセンサおよび知能認識モジュールを含み、前記カラーセンサが前記開口に取り付けられ、前記知能認識モジュールが前記カラーセンサによって受光された光に基づいて暗い肌色領域であるかどうかを判定し、暗い肌色領域であると判定すると前記レーザー脱毛装置を切断する。
【００１４】
本考案の有益な効果は、以下の通りである。
【００１５】
１．本考案の多機能脱毛器具は、レーザー脱毛装置およびせん断装置を含み、２種類の脱毛ツールを１つに統合し、スペースを統合して、ユーザが２種類のツールの操作を切り替える手間を省略し、ユーザがレーザー脱毛の前に髪をせん断操作することに便利であり、髪が長すぎることに起因するレーザーの誤判定による毛包周囲の組織の損傷の問題を避け、レーザーが確実に毛包の根元に達して毛包組織を破壊し安全な脱毛効果を発揮する。
【００１６】
２．本考案の多機能脱毛器具では、せん断装置が筐体の溝内に移動可能に収容され、プッシュプル部材の本体を摺動させると、プッシュプル部材のアームがナイフホルダに対して接触または分離し、前記ナイフホルダが前記溝外に出るかまたは前記溝内に収容され、つまり、髪せん断機能を使用する場合、プッシュプル部材によってせん断装置を押し出し、髪せん断機能を使用しない場合、せん断装置が溝内に収容され、余分なスペースを占有せず、レーザー脱毛機能を使用する場合、せん断装置のユーザに対する誤損傷を回避する。
【００１７】
３．本考案の多機能脱毛器具では、プッシュプル部材も溝内に収容され、余分なスペースを占有せず、使い勝手や美しさの向上を実現する。
【図面の簡単な説明】
【００１８】
【図１】本考案の多機能脱毛器具の構造模式図である。
【図２】本考案の多機能脱毛器具の内部構造模式図である。
【図３】本考案の多機能脱毛器具の髪せん断機能の構造模式図である。
【図４】図３におけるＡの部分拡大図である。
【図５】本考案の多機能脱毛器具の伝達装置の構造模式図である。
【図６】図５におけるＢの部分拡大図である。
【考案を実施するための形態】
【００１９】
本考案の技術的解決策をより明確かつ完全に説明するために、以下図面および好ましい実施形態を参照して、本考案をさらに説明する。
【００２０】
図１および図２に示すように、本考案の多機能脱毛器具は、筐体１、レーザー脱毛装置、せん断装置２、プッシュプル部材５、回路基板６、電池７およびモーター４を含む。筐体１の一端に開口１１が設けられ、筐体１の手持ち箇所に溝１４が設けられ、髪をせん断しない場合、せん断装置２およびプッシュプル部材５が溝１４内に移動可能に収容され、レーザー脱毛操作に影響を与えない。レーザー脱毛装置は、レーザー放射装置を含む。本実施形態では、レーザー放射装置は石英ランプ管３１であることが好ましい。該石英ランプ管３１は、開口１１に取り付けられ、放射されたレーザーが開口１１を介して脱毛皮膚領域に達し、モーター４が筐体１内に取り付けられ、偏心ホイール４１を含む。回路基板６が筐体１内に取り付けられ、レーザー脱毛装置およびモーター４に電気的に接続され、電池７が筐体１内に取り付けられ、回路基板６、レーザー脱毛装置およびモーター４に電力を供給する。
【００２１】
図３および図４に示すように、せん断装置２は、ナイフホルダ２２、固定刃２４、可動刃２３および可動刃ホルダ２５を含む。ナイフホルダ２２がピンで溝１４の側壁に接続され、溝１４内に可動スペースが設けられ、ナイフホルダ２２が外部トルクの作用によりピンを軸として溝１４に対して回転可能であり、前記固定刃２４がナイフホルダ２２の一端に固定され、カッターヘッド部分がナイフホルダ２２外に出て、可動刃ホルダ２５がナイフホルダ２２の固定刃２４に対応する位置に着脱可能に固定される。可動刃２３が可動刃ホルダ２５内に収容され可動刃ホルダ２５に対して左右移動でき、可動刃２３が偏心ホイール４１に駆動接続される。モーター４が起動すると、可動刃２３が偏心ホイール４１によって駆動され前記固定刃２４に対して左右往復摺動することで、髪せん断機能を発揮する。
【００２２】
さらに、図１および図３に示すように、プッシュプル部材５の本体５１が筐体１の表面と面一であり、ナイフホルダ２２が溝１４内に収容される場合、ナイフホルダ２２が本体５１と互いに平行であり、ナイフホルダ２２が溝１４外に出るとき、ナイフホルダ２２が本体５１と平行ではないため、髪せん断機能が始動すると、ナイフホルダ２２と筐体１の表面が一定の角度をなし、ナイフホルダ２２が筐体１の大きすぎる体積により進入できない領域にも達することができる。
【００２３】
具体的に、図３に示すように、髪せん断スイッチ２１が押されると、モーター４が起動し、可動刃２３が固定刃２４の下を摺動する。このとき、前方に本体５１を摺動させアーム５２をナイフホルダ２２の内壁に押圧してナイフホルダ２２に回転トルクを提供し、ナイフホルダ２２が溝１４に対して回転して持ち上げ、本体５１を押圧したまま、髪せん断操作を開始し、髪せん断が完了すると、後方に本体５１を摺動させ、アーム５２がナイフホルダ２２から離れ、ナイフホルダ２２が重力作用で溝１４内に戻り、髪せん断スイッチ２１を閉じて可動刃２３の動作を停止する。
【００２４】
図５に示すように、可動刃２３と偏心ホイール４１が伝達装置９を介して接続される。伝達装置９は第１の伝達部材９１、第２の伝達部材９２およびダイヤルブロック９３を含む。ダイヤルブロック９３が可動刃ホルダ２５内に収容される。第２の伝達部材９２が第１の端部および第２の端部を含む。第１の端部が第１の伝達部材９１に移動可能に接続される。本実施形態では、ピンで両方を接続することが好ましく、第２の端部がダイヤルブロック９３に固定的に接続される。本実施形態では、係合固定の方式を採用し、第１の伝達部材９１が偏心ホイール４１に駆動接続され、偏心ホイール４１の回転によって第１の伝達部材９１が移動し、第１の伝達部材９１の移動によって第２の伝達部材９２が移動し、第１の伝達部材９１の移動によってダイヤルブロック９３が可動刃ホルダ２５内に移動する。ダイヤルブロック９３の表面に突起が設けられ、可動刃２３の表面に貫通穴が設けられ、可動刃２３が貫通穴および突起を介してダイヤルブロック９３に配合固定される。可動刃２３を交換する必要があるときは、可動刃ホルダ２５をナイフホルダ２２から取り外し、可動刃２３をダイヤルブロック９３の突起から取り外すとよい。
【００２５】
図３に示すように、ナイフホルダ２２は位置決め柱２２１および固定部材（図示せず）を含む。第２の伝達部材９２が位置決め穴９２１を含む。位置決め柱２２１が位置決め穴９２１を貫通し、固定部材が第２の伝達部材９２がナイフホルダ２２から外れるのを防止する。第２の伝達部材９２が位置決め柱２２１を中心として回転して可動刃２３を回転させ、ナイフホルダ２２が上方に持ち上げられると、第２の伝達部材９２が固定部材によって駆動され伝達臂９１４に対して回転しながら持ち上げられる。
【００２６】
第１の伝達部材９１および第２の伝達部材９２の設置によって、偏心ホイール４１および可動刃２３の駆動接続を実現すると同時に、脱毛器具の内部スペースがよりコンパクトで合理的になる。同時に、ナイフホルダ２２が溝１４に自在収容される要件を満たす。具体的に、図３および図５に示すように、偏心ホイール４１が伝達臂９１４と第２の伝達部材９２の接合点を偏心ホイール４１の出力軸４１１と平行する平面内で往復運動させるように駆動し、第２の伝達部材９２が伝達臂９１４によって駆動され位置決め柱２２１を中心としてわずか回転し、さらにダイヤルブロック９３を固定刃２４と平行する平面内で往復運動させるように駆動する。固定刃２４と出力軸４１１の関係が、互いに垂直であるか、平行であるか、または角度をなしているかにかかわらず、偏心ホイール４１が可動刃２３を固定刃２４と平行する平面内で往復運動させるように駆動できるため、髪せん断機能を発揮する。
【００２７】
図６に示すように、第１の伝達部材９１は第１の溝本体９１２、第２の溝本体９１１およびリミッター９１３を含む。リミッター９１３が第１の溝本体９１２を貫通して筐体１に固定され、前記偏心ホイール４１の出力軸４１１が第２の溝本体９１１を貫通し、前記第１の溝本体９１２の長手方向が前記第２の溝本体９１１の長手方向と互いに垂直である。このような構造によって、偏心ホイール４１の回転運動が伝達臂９１４の直線運動に変換される。直線運動の方向は、第１の溝本体９１２の長さと平行である。ここでのリミッター９１３は、第１の伝達部材９１を筐体に移動可能に接続する一方、第１の伝達部材９１の運動を案内するという２つの機能を果たす。
【００２８】
レーザー脱毛器具を使用する場合、誤操作によるレーザーやけどの原因となることが多い。この問題を解決するために、図２に示すように、筐体１は第１の導電部材１２および第２の導電部材１３を含む。第１の導電部材１２が開口１１に固定され、第２の導電部材１３が筐体１の手持ち箇所に固定され、第１の導電部材１２がレーザー脱毛装置のスイッチ回路の第１の電極に接続され、第２の導電部材１３がレーザー脱毛装置のスイッチ回路の第２の電極にばね１０を介して接続される（ばね１０による接続が接触不良を回避できる）。脱毛スイッチ３３がオンにされても、前記第１の電極と第２の電極を接続する外部導体がないと、前記レーザー脱毛装置のスイッチ回路が遮断状態にあり、前記第１の電極と第２の電極を接続する外部導体がある場合、前記レーザー脱毛装置のスイッチ回路が導通状態にある。使用する場合、ユーザが第２の導電部材１３に手で触れ、脱毛が必要な位置に開口１１を合わせると、第１の導電部材１２がユーザの皮膚に接触し、第１の電極と第２の電極が人体を介する微電流により導通し、このとき脱毛スイッチ３３がオンになり、レーザー脱毛装置が起動する。脱毛が不要な場合、第１の導電部材１２が人体に接触せず、第２の導電部材１３を手で持って誤って脱毛スイッチ３３に触れても、レーザー脱毛装置が起動しない。これにより、誤操作による目の傷の可能性が減少し、使用の安全性が確保される。
【００２９】
脱毛器具の安全性をさらに向上させるために、図１に示すように、前記レーザー脱毛装置は、さらにカラーセンサ３２および知能認識モジュール（図示せず）を含み、カラーセンサ３２が開口１１に取り付けられ、知能認識モジュールがカラーセンサ３２によって受光された光に基づいて暗い肌色領域（例えばそばかす、入れ墨、あざなどの領域）であるかどうかを判定し、具体的な判定方法はレーザーそばかす除去機器のそばかす認識方法と同じであり、暗い肌色領域であると判定すると、知能認識モジュールはレーザー脱毛装置のスイッチ回路を遮断して、レーザーによる火傷を避ける。
【００３０】
もちろん、本考案は、様々な形態で実施することもでき、本実施形態に基づいて、当業者は創造的な労働をせずに得られた他の実施形態は、すべて本考案の保護範囲に含まれるのは明らかである。
【図１】
0003228706.tif 000003
【図２】
0003228706.tif 000004
【図３】
0003228706.tif 000005
【図４】
0003228706.tif 000006
【図５】
0003228706.tif 000007
【図６】
0003228706.tif 000008